(57)【要約】【課題】三相電源から単相電圧を取り出して誘導コイルの励磁電圧とするにあたり、三相電源電流が不平衡になるのを回避もしくは緩和することができる誘導発熱ローラ装置を提供する。【解決手段】誘導発熱ローラ装置の誘導コイルは磁気的に分離された筒状の鉄心の外周にそれぞれ巻装されている、メインコイル２１とその両端に設置された二つのサブコイル２２、２３とによって構成され、メインコイル２１の巻数はＮ、サブコイル２２、２３の巻数はそれぞれ２Ｎ／√３に設定されている。そして、三相電源線路の線路Ｅｕにメインコイル２１の一端が接続され、二つのサブコイル２２、２３の両端に線路Ｅｖ、Ｅｗが接続されるとともに、メインコイル２１の他方の端子と、サブコイル２２、２３の中間タップが端子Ｏで結合されている。【選択図】        図２
2004362791.tif 000002
【特許請求の範囲】
【請求項１】
巻数Ｎのメインコイルと、このメインコイルとは磁気的に分離されたそれぞれ巻数が２Ｎ／√３の二つのサブコイルからなる誘導コイルを備え、三相電源線路のうちの二線路間に並列に二つのサブコイルを接続し、他の一つの線路にメインコイルの一端を接続するとともに、メインコイルの他端と二つのサブコイルの中間タップを接続したことを特徴とする誘導発熱ローラ装置。
【発明の詳細な説明】
【０００１】
【発明の属する技術分野】
本発明は紙、プラスチック、布などの基材を加熱する誘導発熱ローラ装置に関する。
【０００２】
【従来の技術】
誘導発熱ローラ装置は、回転する中空のローラの内部に、鉄心と、この鉄心の外周に巻装された誘導コイルとからなる誘導発熱機構を配置し、これによってローラの周壁を誘導発熱させるものである。誘導コイルは単相電源で励磁するのが好ましいので、手近にある三相電源の各線間に誘導発熱ローラ装置の誘導コイルを接続して励磁することが考えられる。この場合、三台の同容量の誘導発熱ローラ装置を用意し、その各誘導コイルを三相電源線路の各相線間にそれぞれ接続する構成とすれば、三相電源電流は平衡するので、特に問題は生じない。
【０００３】
【発明が解決しようとする課題】
しかしながら、この配線構成では、各相線路間に均等に誘導発熱ローラ装置を接続する必要があり、二台または一台の誘導発熱ローラ装置を限定して使用する場合には、無負荷の相線路が存在することになるので、三相電源電流は不平衡となり、三相電源構成に支障をきたすことになる。
【０００４】
本発明は、上記の問題に鑑みてなされたもので、三相電源から単相電圧を取り出して、これを誘導発熱ローラ装置の誘導コイルの励磁電圧とするにあたり、三相電源電流が不平衡になるのを回避することができる誘導発熱ローラ装置を提供することを目的とする。
【０００５】
【課題を解決するための手段】
請求項１に係る発明の誘導発熱ローラ装置は、巻数Ｎのメインコイルと、このメインコイルとは磁気的に分離されたそれぞれ巻数が２Ｎ／√３の二つのサブコイルからなる誘導コイルを備え、三相電源線路のうちの二線路間に並列に二つのサブコイルを接続し、他の一つの線路にメインコイルの一端を接続するとともに、メインコイルの他端と二つのサブコイルの中間タップを接続したことを特徴とする。
【０００６】
請求項１に係る発明によれば、三相電源を誘導発熱ローラの誘導コイルの励磁電圧として用いても、三相電源電流が不平衡になることを防止または緩和することができ、三相電源回路の不具合を防止することができる。
【０００７】
【発明の実施の形態】
以下、本発明の誘導発熱ローラ装置の実施の形態について、図面を用いて説明する。図１は本発明の誘導発熱ローラ装置の構成図であり、図２は図１の誘導発熱ローラ装置の回路図である。
【０００８】
図１において、１は誘導発熱ローラ装置であり、１１はローラシェル、１２はその両側に一体的に取り付けられているジャーナルで、軸受１３を介して機台１４に回転自在に支持されている。なお、必要に応じてローラシェル１１の周壁の内部にジャケット室が設けられ、その内部に気液二相の熱媒体が減圧密封されている。１５は誘導発熱機構で、支持ロッド１６によって支持されている。支持ロッド１６はジャーナル１２内に挿通され、軸受１７を介してジャーナル１２に支持されている。誘導発熱機構１５は、磁気的に分離された筒状の鉄心１８、１９、２０と、これらの鉄心１８、１９、２０の外周にそれぞれ巻装されている、メインコイル２１とその両端に設置された二つのサブコイル２２、２３よりなる誘導コイルとによって構成されている。２４〜２６は誘導コイルのリード線で、支持ロッド１６の内部を通って外部に引き出され、それぞれ三相電源Ｅｕ、Ｅｖ、Ｅｗに接続されている。
【０００９】
メインコイル２１の巻数はＮ、サブコイル２２、２３の巻数はそれぞれ２Ｎ／√３に設定されており、図２の回路図に示すように、サブコイル２２、２３にはその両側のコイルの巻数が同一となる位置に中間タップが設けられている。そして、三相電源線路の線路Ｅｕにメインコイル２１の一端が接続され、二つのサブコイル２２、２３の両端に線路Ｅｖ、Ｅｗが接続されるとともに、メインコイル２１の他方の端子と、サブコイル２２、２３の中間タップが端子Ｏで結合されている。
【００１０】
図２の回路において、電源電圧をＥとすると、サブコイル２２、２３のそれぞれにかかる電圧Ｖｖ−ｗは、
Ｖｖ−ｗ＝Ｅ・・・（１）
であり、メインコイル２１にかかる電圧Ｖｕ−ｏは、
Ｖｕ−ｏ／Ｎ＝Ｖｖ−ｗ／（２Ｎ／√３）
であるので、
Ｖｕ−ｏ＝√（３）Ｖｖ−ｗ／２＝√（３）Ｅ／２・・・（２）
となる。
【００１１】
一方、メインコイル２１に流れる電流をＩｍ（なお、この電流は図２に示すようにベクトルであるが、以下に記載する電流を含め、明細書中では電流の各値の上に表示するベクトルを意味するドットは省略している。）とし、サブコイル２２回路Ｖ−Ｗだけを考えた電流をＩｓ１とし、サブコイル２３回路Ｖ−Ｗだけを考えた電流をＩｓ２とする。
ここで、サブコイル回路だけを考えるとは、サブコイルによって発熱するロールに流れる負荷電流を打ち消す一次電流Ｉｓのみを考えるという意味である。
【００１２】
このとき、三相電源に流れる電流Ｉｕ、Ｉｖ、Ｉｗは、
2004362791.tif 000003
となる。
ここで、サブコイル２２とサブコイル２３の皮相容量を、それぞれメインコイル２１の１／２に設定した場合、
｜Ｉｓ１｜・Ｖｖ−ｗ＝｜Ｉｍ｜・Ｖｕ−ｏ／２
であるので、Ｉｓ１＝Ｉｓ２＝Ｉｓとすると、（１）式、（２）式から
｜Ｉｓ｜・Ｅ＝｜Ｉｍ｜・｛√（３）Ｅ／２｝／２
｜Ｉｓ｜＝√（３）｜Ｉｍ｜／４・・・（６）
となる。
【００１３】
そして、電流Ｉｍと電流Ｉｓは位相差が９０度であるので、（４）式、（６）式から、Ｖ相電流Ｉｖの絶対値｜Ｉｖ｜は、
2004362791.tif 000004
となる。
また、（５）式、（６）式から、Ｗ相電流Ｉｗの絶対値｜Ｉｗ｜は、
2004362791.tif 000005
となり、｜Ｉｕ｜＝｜Ｉｖ｜＝｜Ｉｗ｜となるので、三相電源の電流が平衡となる。
【００１４】
一方、図２の回路において、サブコイル２２とサブコイル２３の皮相容量を、例えば、それぞれメインコイル２１の１／４に設定した場合、
｜Ｉｓ１｜・Ｖｖ−ｗ＝｜Ｉｍ｜・Ｖｕ−ｏ／４・・・（７）
であるので、Ｉｓ１＝Ｉｓ２＝Ｉｓとすると、（１）式、（２）式から
｜Ｉｓ｜・Ｅ＝｜Ｉｍ｜・｛√（３）Ｅ／２｝／４
｜Ｉｓ｜＝√（３）｜Ｉｍ｜／８・・・（８）
となる。
したがって、（４）式、（８）式から、Ｖ相電流Ｉｖの絶対値｜Ｉｖ｜は、
2004362791.tif 000006
となる。また、（５）式、（８）式からＷ相電流Ｉｗの絶対値｜Ｉｗ｜は、
2004362791.tif 000007
となり、｜Ｉｕ｜：｜Ｉｖ｜：｜Ｉｗ｜＝１：√（７）／４：√（７）／４となるので、メインコイルをＵ−Ｖ、サブコイルをそれぞれＶ−Ｗ、Ｗ−Ｕに接続したときの電流比｜Ｉｕ｜：｜Ｉｖ｜：｜Ｉｗ｜がほぼ３：３：１であるのに比較して緩和され、運転には大きな支障とはならない。
【００１５】
このように、誘導発熱ローラ装置の誘導コイルをメインコイルと二つのサブコイルに分割し、メインコイルの巻数をＮ、それぞれのサブコイルの巻数を２Ｎ／√３にするとともに、三相電源線路のうちの二線路間に並列に二つのサブコイルを、他の一つの線路にメインコイルの一端を接続し、メインコイルの他端と二つのサブコイルの中間タップを接続することにより、三相電源電流の不平衡を防止または緩和することができる。このとき、二つのサブコイルの皮相容量をそれぞれメインコイルの皮相容量の１／２に設定することにより三相電源電流の不平衡を完全になくすことができるが、皮相容量の比を他の値に設定しても不平衡を緩和することができる。
【００１６】
なお、図１の実施の形態では、メインコイルとサブコイルを同一円周上に配置したが、図３に示すように、筒状の鉄心１８及びこれに巻装されているメインコイル２１と、鉄心１９、２０及びこれらの外周にそれぞれ巻装されているサブコイル２２、２３とが段差を形成するように両者を配置することも可能である。
【００１７】
【発明の効果】
以上詳述したように、本発明の誘導発熱ローラ装置は、誘導発熱ローラ装置の誘導コイルをメインコイルと二つのサブコイルに分割し、三相電源線路のうちの二線路間に並列に二つのサブコイルを接続し、他の一つの線路にメインコイルの一端を接続するとともに、メインコイルの他端と二つのサブコイルの中間タップを接続することにより、三相電源から単相電圧を取り出して、これを誘導発熱ローラ装置の誘導コイルの励磁電圧とするにあたり、三相電源電流が不平衡になるのを回避もしくは緩和することができる。
【図面の簡単な説明】
【図１】本発明の実施の形態に係る誘導発熱ローラ装置の断面図である。
【図２】図１の誘導発熱ローラ装置の回路図である。
【図３】本発明の他の実施の形態に係る誘導発熱ローラ装置の断面図である。
【符号の説明】
１  誘導発熱ローラ装置
１１  ローラシェル
１２  ジャーナル
１３  軸受１３
１４  機台
１５  誘導発熱機構
１６  支持ロッド
１７  軸受
１８〜２０  鉄心
２１  メインコイル
２２、２３サブコイル
２４〜２６  リード線
【図１】
2004362791.tif 000008
【図２】
2004362791.tif 000009
【図３】
2004362791.tif 000010